(57)【要約】【課題】リザーバタンクの位置ずれを容易に発見でき、マスタシリンダに対する組付不良や、リザーバタンクやグロメットシールの損傷を防止できるリザーバタンクを提供する。【解決手段】マスタシリンダに固定して使用されるリザーバタンクであって、樹脂製の容器からなるリザーバ本体と、リザーバ本体の底部から下方に向けて突設され、グロメットシールが装着されるとともにマスタシリンダのボス部に嵌合される円筒部と、リザーバ本体の底部近傍における、互いに対向する両横方向に設けられ、円筒部をボスに嵌め合わせる際に組付治具を係止するための係止部であって、両横方向の一方側に設けられた第１の係止部、及び両横方向の他方側に設けられた第２の係止部と、を備え、第１及び第２の係止部を凹部又は孔部から構成したことを特徴とする。【選択図】図９
2008007060.tif 000002
【特許請求の範囲】
【請求項１】
マスタシリンダに固定して使用されるリザーバタンクにおいて、
樹脂製の容器からなるリザーバ本体と、
前記リザーバ本体の底部から下方に向けて突設され、グロメットシールが装着されるとともに前記マスタシリンダのボス部に嵌合される円筒部と、
前記リザーバ本体の底部近傍における、互いに対向する両横方向に設けられ、前記円筒部を前記ボスに嵌め合わせる際に組付治具を係止するための係止部であって、前記両横方向の一方側に設けられた第１の係止部、及び前記両横方向の他方側に設けられた第２の係止部と、を備え、
前記第１及び第２の係止部を凹部又は孔部から構成したことを特徴とするリザーバタンク。
【請求項２】
前記凹部又は孔部を、前記組付治具の形状に対応して配置することを特徴とする請求項１に記載のリザーバタンク。
【請求項３】
前記第１及び第２の係止部のうちの少なくとも一方の係止部は複数の係止部を備え、隣接する前記複数の係止部の間にリブを備えることを特徴とする請求項１又は２に記載のリザーバタンク。
【請求項４】
前記第１及び第２の係止部を、前記マスタシリンダの軸線方向に対して垂直に交差する方向に設けることを特徴とする請求項１〜３のいずれか一項に記載のリザーバタンク。
【請求項５】
前記第１及び第２の係止部を孔部とし、当該孔部を前記リザーバ本体の底部から下方に突設した突出部に設けることを特徴とする請求項１〜４のいずれか一項に記載のリザーバタンク。
【請求項６】
前記両横方向に設けられた係止部は、前記円筒部を中心として両側に対称的に配置されることを特徴とする請求項１〜５のいずれか一項に記載のリザーバタンク。
【請求項７】
前記第１及び第２の係止部はそれぞれ数が異なる複数の係止部を含むことを特徴とする請求項１〜６のいずれか一項に記載のリザーバタンク。
【請求項８】
前記第１及び第２の係止部を、前記組付治具の挿入方向に向けて断面積が小さくなるようなテーパ状とすることを特徴とする請求項１〜７のいずれか一項に記載のリザーバタンク。
【発明の詳細な説明】
【技術分野】
【０００１】
本発明は、マスタシリンダに固定されるリザーバタンクに関する。特に、リザーバ本体の底部から下方に向けて突設された円筒部を、マスタシリンダのボス部に嵌合させた状態で固定されるリザーバタンクに関する。
【背景技術】
【０００２】
従来、自動車等の車両におけるブレーキやクラッチのシステムに装備されるマスタシリンダには、シリンダ内に液体を補給するためのリザーバタンクが取り付けられている。このマスタシリンダは、シリンダ外周にボス部を有し、ボス部に対してリザーバタンクの接続口を嵌合させることにより、リザーバタンクがマスタシリンダに対して固定されている。このマスタシリンダにリザーバタンクを組付ける際には、リザーバタンクの接続口をマスタシリンダのボス部に対して位置合わせした後、押圧した状態で、マスタシリンダ及びリザーバタンクの双方に設けられた固定ピン挿入孔に固定ピンを挿通させて組付けられる。
【０００３】
ここで、リザーバタンクは、生産コストや成形性を考慮して、ポリプロピレン（ＰＰ）やポリエチレンテレフタレート（ＰＥＴ）等の合成樹脂を用いて作られている。そのため、マスタシリンダに対して組付ける際に、押圧の仕方によっては変形し、いわゆる白化（乳化）したり、損傷したりする場合がある。
【０００４】
そこで、マスタシリンダへの組付時にリザーバ本体の外壁面が損傷することを防止することができるマスタシリンダ用リザーバが提案されている。より具体的には、図１６に示すように、リザーバ本体３２１の下部半体３２２の底部には、その下部半体３２２の横方向の両外側において、グロメット３１６を介して筒部３１８をボス部に嵌合せしめる際に組付治具を上方より係合させてリザーバ本体３２１に下向きの押圧力を作用させるための少なくとも一対の係止突部３２４、３２５が、筒部３１８の近傍で下部半体３２２の底部の両外側方にそれぞれ突出して一体に連設されたマスタシリンダ用リザーバが開示されている（特許文献１参照）。
【特許文献１】特許第３４３２９５４号公報  （特許請求の範囲  図３）
【発明の開示】
【発明が解決しようとする課題】
【０００５】
しかしながら、特許文献１に開示されたマスタシリンダ用リザーバは、組付時の外壁面の損傷を防止することができるものの、組付治具に係止させた段階で、マスタシリンダの軸線方向に位置ずれを生じている場合であっても、気付かれないまま組付作業が行われるおそれがある。すなわち、リザーバ本体の底面形状を眺めると、組付治具が係止される係止突部は上下左右対称に設けられている。したがって、リザーバタンクを仮置き台に載置する際に、リザーバタンクの位置がマスタシリンダの軸線方向にずれている場合であっても、気付かれないまま組付治具が係止され、マスタシリンダに対して押圧するおそれがある。そうすると、リザーバタンクの筒部とマスタシリンダのボスとの位置がずれているため、組付不良を生じたり、リザーバタンクやグロメットシールを損傷したりするおそれがある。
【０００６】
そこで、本発明の発明者らは鋭意検討した結果、リザーバ本体に設ける係止部を凹部又は孔部として構成することにより、このような問題を解決できることを見出し、本発明を完成させたものである。
すなわち、本発明は、リザーバタンクの位置ずれを容易に発見でき、マスタシリンダに対する組付不良や、リザーバタンクやグロメットシールの損傷を防止できるリザーバタンクを提供することを目的とする。
【課題を解決するための手段】
【０００７】
本発明によれば、マスタシリンダに固定して使用されるリザーバタンクであって、樹脂製の容器からなるリザーバ本体と、リザーバ本体の底部から下方に向けて突設され、グロメットシールが装着されるとともにマスタシリンダのボス部に嵌合される円筒部と、リザーバ本体の底部近傍における、互いに対向する両横方向に設けられ、円筒部をボスに嵌め合わせる際に組付治具を係止するための係止部であって、両横方向の一方側に設けられた第１の係止部、及び両横方向の他方側に設けられた第２の係止部と、を備え、第１及び第２の係止部を凹部又は孔部から構成したことを特徴とするリザーバタンクが提供され、上述した問題を解決することができる。
【０００８】
また、本発明のリザーバタンクを構成するにあたり、凹部又は孔部を、組付治具の形状に対応して配置することが好ましい。
【０００９】
また、本発明のリザーバタンクを構成するにあたり、第１及び第２の係止部のうちの少なくとも一方の係止部は複数の係止部を含み、隣接する複数の係止部の間にリブを備えることが好ましい。
【００１０】
また、本発明のリザーバタンクを構成するにあたり、第１及び第２の係止部を、マスタシリンダの軸線方向に対して垂直に交差する方向に設けることが好ましい。
【００１１】
また、本発明のリザーバタンクを構成するにあたり、第１及び第２の係止部を孔部とし、当該孔部をリザーバ本体の底部から下方に突設した突出部に設けることが好ましい。
【００１２】
また、本発明のリザーバタンクを構成するにあたり、両横方向に設けられた係止部は、円筒部を中心として両側に対称的に配置されることが好ましい。
【００１３】
また、本発明のリザーバタンクを構成するにあたり、第１及び第２の係止部はそれぞれ数が異なる複数の係止部を含むことが好ましい。
【００１４】
また、本発明のリザーバタンクを構成するにあたり、第１及び第２の係止部を、組付治具の挿入方向に向けて断面積が小さくなるテーパ状とすることが好ましい。
【発明の効果】
【００１５】
本発明のリザーバタンクによれば、リザーバタンクをマスタシリンダに対して組付ける際に組付治具が係止される係止部を、凹部又は孔部として構成することにより、リザーバタンクが正確に位置合わせされている場合にのみ、組付治具が係止部に入り込んで係止できるようにすることができる。したがって、組付時におけるリザーバタンクの位置ずれの発見が容易になって、マスタシリンダとリザーバタンクとの組付不良や、リザーバタンクやグロメットシールの損傷を低減することができる。
【００１６】
また、本発明のリザーバタンクにおいて、凹部又は孔部を、組付治具の形状に対応して配置することにより、リザーバタンクの正確な配置位置が一義的に規定されるため、リザーバタンクの位置ずれを精度良く発見することができる。
【００１７】
また、本発明のリザーバタンクにおいて、リザーバ本体の底部近傍の両外側方あるいは一方側の係止部が複数の係止部からなり、複数の係止部の間にリブを備えることにより、位置ずれの発見を容易にできるとともに、リザーバタンクの強度を高めることができる。
したがって、組付時におけるリザーバタンクの損傷を低減することができる。
【００１８】
また、本発明のリザーバタンクにおいて、係止部を所定方向の両側方に設けることにより、リザーバ本体の形状にかかわらず組付作業を効率的に行うことができる。
【００１９】
また、本発明のリザーバタンクにおいて、係止部を所定箇所に形成された孔部とすることにより、組付作業時におけるグロメットシールの装着確認を行うことができる。したがって、グロメットシールが装着されずに組み付けられてしまうことを防ぐことができる。
【００２０】
また、本発明のリザーバタンクにおいて、係止部を円筒部を中心として対称位置に設けることにより、円筒部に対してバランスよく押圧して、効率的に、かつ、確実に組付けることができる。
【００２１】
また、本発明のリザーバタンクにおいて、両横方向の係止部の数を異ならせることにより、組付治具を利用して、リザーバタンクのセット方向の誤りの発見が容易になり、位置合わせだけでなく、誤組付を防止することができる。
【００２２】
また、本発明のリザーバタンクにおいて、係止部を所定のテーパ状とすることにより、リザーバタンクの位置が多少ずれている場合に、リザーバタンクの位置を、組付治具との関係で相対的に移動させて位置合わせすることができる。
【発明を実施するための最良の形態】
【００２３】
以下、本発明の実施の形態のリザーバタンクとして、ブレーキ用のリザーバタンクを例に採って、適宜図面を参照しながら具体的に説明する。ただし、かかる実施形態は、本発明の一態様を示すものであり、この発明を限定するものではなく、本発明の範囲内で任意に変更することが可能である。
なお、各図中、同一の符号を付してあるものは同一の部材を示しており、適宜説明を省略する。
【００２４】
図１は、リザーバタンク１０をタンデム型のマスタシリンダ１に固定した状態を示す図であり、結合部分の一部及びマスタシリンダ１を断面によって示してある。また、結合部分については、さらに断面を拡大して示してある。
マスタシリンダ１を構成するシリンダ本体２は、実質的に円筒状の部材であって、軸線方向に沿った一端側が閉塞されるとともに、他端側が開口されている。また、シリンダ本体２内には開口された端部側からピストン３が摺動可能に挿入されている。このピストンは、第１のピストン３ａ及び第２のピストン３ｂから構成され、ブレーキ操作時において、ブレーキペダルの踏み込み等によってシリンダ本体２内を軸方向に移動する。また、シリンダ本体２内を第１のピストン３ａによって区画された領域は第１の液圧室４ａを構成し、シリンダ本体２内を第１のピストン３ａ及び第２のピストン３ｂによって区画された領域は第２の液圧室４ｂを構成し、各ピストン３ａ、３ｂがシリンダ本体２の閉塞された端部側に移動することによって、各液圧室４ａ、４ｂ内の液圧が高められる。
【００２５】
また、第１の液圧室４ａは、例えば、ブレーキ配管を通じて前輪右側及び後輪左側のブレーキ装置（図示せず）につなげられ、第２の液圧室４ｂは、ブレーキ配管を通じて前輪左側及び後輪右側のブレーキ装置（図示せず）につなげられている。そして、各ブレーキ装置は、ブレーキペダルの操作に応じて各液圧室からのブレーキ液圧の供給を受け、車輪に対してブレーキ力を生じさせるものである。
なお、このブレーキ配管の構成はいわゆるＸ配管の例であるが、これ以外にも、前輪側のブレーキ装置を第１の液圧室につなぎ、後輪側のブレーキ装置を第２の液圧室につなぐようにした、いわゆるＨ配管を採用することもできる。
【００２６】
ここで、シリンダ本体２の外周上側には、軸方向に離間して突出して配置された第１のボス部５ａ及び第２のボス部５ｂを備えている。これらのボス部５ａ、５ｂは、例えば、シリンダ本体２と一体的に形成され、底部に第１及び第２の液圧室４ａ、４ｂに連絡する連絡孔６を有し、上面でグロメットシール７のフランジ部７ａを受け、内周面にグロメットシール７が押圧されてシールされる、筒状部として形成されている。そして、第１及び第２のボス部５ａ、５ｂには、後述するリザーバタンク１０の円筒部１１ａ、１１ｂが嵌合され、リザーバタンク１０内に収容されているブレーキ液が、リザーバタンク１０と液圧室４ａ、４ｂとの間を行き来できるようにされている。
また、第１及び第２のボス部５ａ、５ｂの間には、上方に突出して形成されたリブ（図示せず）を備え、このリブには固定ピン挿入穴（図示せず）が設けられている。そして、固定ピン挿入穴は、リザーバタンク１０の突出部１３に設けられた固定ピン挿入穴１５と同一直線上に位置し、すべての固定ピン挿入穴に対して固定ピン９が挿入され、リザーバタンク１０とマスタシリンダ１とが固定されている。
【００２７】
また、シリンダ本体２と接続されるリザーバタンク１０は、上面側に給液口１７を有し、ブレーキ液が収容されるリザーバ本体２１と、リザーバ本体２１の底部から下方に向けて突設され、グロメットシール７が装着されるとともにマスタシリンダ１の第１及び第２のボス部５ａ、５ｂに嵌合される第１及び第２の円筒部１１ａ、１１ｂと、を備えており、合成樹脂等を用いて一体的に成形されている。
リザーバ本体２１の底部から突設する第１及び第２の円筒部１１ａ、１１ｂは、シリンダ本体２の第１及び第２のボス部５ａ、５ｂに対応するように離間して配置されている。また、各円筒部１１ａ、１１ｂは、上側の大径部１８と下側の小径部１９とを含む段付の円筒状に形成され、大径部１８は、グロメットシール７のフランジ部７ａ上面と当接し、小径部１９は、グロメットシール７と当接するシール面となっている。そして、第１及び第２の円筒部１１ａ、１１ｂは、グロメットシール７を介してシリンダ本体２の第１及び第２のボス部５ａ、５ｂに嵌合される。
【００２８】
次に、図１中のＸＸ断面を矢印方向から見た断面図を図２に示す。この図２に示すように、リザーバ本体２１の底部には、第１及び第２の円筒部の配列方向に対して垂直方向に交差する方向に離間して配置され、底部から下方に向けて突設した第１及び第２の突出部１３ａ、１３ｂを備えており、各突出部１３ａ、１３ｂの中央には、リザーバタンク１０とマスタシリンダ１とが係合した状態で、固定ピン９が挿入される固定ピン挿入穴（図示せず）がそれぞれ設けられている。
これらの固定ピン挿入穴と、シリンダ本体２の上側のリブに設けられた固定ピン挿入穴とは同一直線上にあり、一本の固定ピン９が挿入されることにより、マスタシリンダ１とリザーバタンク１０とが固定されている。
【００２９】
また、リザーバ本体２１の底部近傍における、互いに対向する両横方向には、円筒部１１をボス部５に嵌め合わせる際に組付治具を係止するための係止部２３、２４であって、両横方向の一方側に設けられた第１の係止部２３、及び両横方向の他方側に設けられた第２の係止部２４と、が備えられている。図１及び図２に示す本実施形態のリザーバタンク１０においては、第１及び第２の係止部２３、２４として、底部近傍から横方向に突出する突部が形成されている。
このように形成される係止部であれば、リザーバタンクが用いられる用途や、車種等によって、リザーバ本体の全体形状が異なる場合であっても、形状を共通化しやすい底部に設けてあるために、組付治具を含む組付装置を共通化させることができる。したがって、リザーバタンクの種類ごとに組付治具等を変える必要がなくなり、生産コストの上昇を抑えることができる。また、リザーバ本体の底部であれば、リザーバタンクの容量に影響を与えることなく厚肉にしたりできるため、組付時の押圧力に耐えうる設計が可能になり、当該押圧力によるリザーバタンクの損傷を防ぐことができる。
なお、係止部は、互いに対向する両横方向に少なくとも形成されていればよく、当該両横方向以外にさらに別の係止部が形成されていても構わない。
【００３０】
また、図１に示すグロメットシール７は、シール本体部７ｂとフランジ部７ａとからなり、弾性変形可能であり、かつ、比較的高硬度な合成ゴム材料等を用いて形成されている。グロメットシール７のシール本体部７ｂは、リザーバタンク１０の円筒部１１ａの外周と、マスタシリンダ１のボス部５ａの内周との間に介在するように、リザーバタンク１０及びマスタシリンダ１に固定される。また、グロメットシール７のフランジ部７ａは、マスタシリンダ１のボス部５ａとリザーバタンク１０の底部とによって挟持され、グロメットシール７の支持部として機能する。このフランジ部７ａは、ボス部５ａ上面とリザーバタンク１０の底面との間のシールとしての機能を併せ持っている。
【００３１】
ここで、マスタシリンダに対するリザーバタンクの組付方法の一例を、図３〜図８を参照しながら説明する。図３（ａ）、図４（ａ）、図６（ａ）、図７（ａ）、図８（ａ）はそれぞれ、リザーバタンクの第１及び第２の円筒部又はマスタシリンダの第１及び第２のボス部の配列方向に対して垂直方向横側から見た図を表し、図３（ｂ）、図４（ｂ）、図６（ｂ）、図７（ｂ）、図８（ｂ）はそれぞれ、上記配列方向に沿った方向の横側から見た図を表している。また、図５（ａ）及び（ｂ）は、係止部に組付治具の先端つめ部が係止された状態を示す断面図である。
【００３２】
まず、図３（ａ）及び（ｂ）に示すように、リザーバタンク１０がマスタシリンダに対して正しい方向を向くように、リザーバタンク１０を載置台４１上にセットする。図３に示す例では、第１及び第２の円筒部１１ａ、１１ｂを下方側に向け、リザーバタンク１０の底部を下側にしてセットされている。また、図３（ａ）に示すように、第１及び第２の円筒部１１ａ、１１ｂが、リザーバタンクの右側に位置している状態が正しいセット位置である。そして、図３（ａ）では、リザーバ本体２１の底部に形成された第１の係止部２３が図中手前側に、第２の係止部（図示せず）が図中奥側に位置し、図３（ｂ）では、第１の係止部２３が図中左側に、第２の係止部２４が図中右側に位置している。
【００３３】
次いで、図４（ａ）及び（ｂ）に示すように、リザーバタンク１０における第１及び第２の係止部２３、２４が設けられた両横方向側から、組付治具３３、３４の先端つめ部３３ａ、３４ａを第１及び第２の係止部２３、２４が設けられた位置まで移動させる。
次いで、組付治具によってリザーバタンクを保持するとともに、リザーバタンクを載置台上から移動する。このとき、図５（ａ）に示すように、各係止部２３、２４の上側に位置する面２５、２６を組付治具３３、３４の先端つめ部３３ａ、３４ａによって係止させて保持することもでき、あるいは、図５（ｂ）に示すように、組付治具３３、３４の先端つめ部３３ａ、３４ａによってリザーバタンク１０を両側から押圧保持することもできる。さらに、図示しないが、組付治具によってリザーバタンクを保持して、当該リザーバタンクの位置自体を移動させてもよく、あるいは、組付治具によってリザーバタンクを保持し、載置台を移動させても構わない。
【００３４】
次いで、図６（ａ）及び（ｂ）に示すように、組付治具３３、３４によって保持されたリザーバタンク１０を、マスタシリンダ１の上方に位置させる。この状態では、リザーバタンク１０の第１及び第２の円筒部１１ａ、１１ｂと、マスタシリンダ１の第１及び第２のボス部５ａ、５ｂとがそれぞれ位置合わせされている。このとき、組付治具３３、３４によってリザーバタンク１０を保持して、当該リザーバタンク１０の位置自体を移動させてもよく、あるいは、組付治具３３、３４によってリザーバタンク１０を保持し、マスタシリンダ１を移動させても構わない。
なお、図６に示す例では、この状態でグロメットシール７がリザーバタンク１０の円筒部１１ａ、１１ｂに装着されているが、円筒部１１ａ、１１ｂにグロメットシール７を装着する時期、方法等については特に制限されるものではない。さらに、グロメットシールを円筒部に装着しておく以外にも、マスタシリンダ側のボス部内にあらかじめ装着しておくこともできる。
【００３５】
次いで、図７（ａ）及び（ｂ）に示すように、組付治具３３、３４を下降させ、組付治具３３、３４の先端つめ部３３ａ、３４ａを第１及び第２の係止部２３、２４に係止させるとともにリザーバタンク１０をマスタシリンダ１側に押圧し、リザーバタンク１０の円筒部１１ａ、１１ｂをマスタシリンダ１のボス部５ａ、５ｂに嵌合させる。このとき、グロメットシール７は、ボス部５ａ、５ｂの内周面と円筒部１１ａ、１１ｂの外周との間に介在して固定される。そして、図８（ａ）及び（ｂ）に示すように、組付治具３３、３４によって、リザーバタンク１０をマスタシリンダ１側に押圧した状態で、リザーバタンク１０及びマスタシリンダ１それぞれに備えられた固定ピン挿入孔（図示せず）に対して、固定ピン９を挿入し、リザーバタンク１０をマスタシリンダ１に対して固定する。
このようにして、リザーバタンクをマスタシリンダに対して組み付けることができる。
【００３６】
これらの図３〜図８に例示したような組み付け方法を行うにあたり、マスタシリンダに対するリザーバタンクの位置ずれを生じないように、図６に示すように、リザーバタンクがマスタシリンダの上方に配置された段階で、リザーバタンクの配置位置精度を高める必要がある。そこで、本実施形態のリザーバタンクは、第１及び第２の係止部が凹部又は孔部から構成されている。
【００３７】
例えば、図９（ａ）〜（ｃ）に示すリザーバタンク１０Ａは、リザーバ本体２１の底部近傍における、第１及び第２の円筒部１１ａ、１１ｂが配列した方向（マスタシリンダの軸線方向）とは垂直に交差する方向の両横方向に、円筒部１１ａをシリンダ本体のボス部に嵌め合わせる際に用いる組付治具の先端つめ部が係止される凹部５３、５４を備えている。この凹部５３、５４の大きさは、組付治具の先端つめ部の大きさと実質的に一致しており、組付作業の際に、リザーバタンク１０Ａが正確に位置合わせされている場合には、組付治具の先端つめ部が凹部５３、５４内に進入できるようにされている。
また、リザーバタンクのセット位置が、比較的小程度にずれている場合であれば、組付治具の先端つめ部が凹部内に進入する際に、リザーバタンクの配置位置が本来の位置に補正される。
したがって、組付治具が係止される係止部を凹部又は孔部とすることにより、リザーバタンクのセット位置精度が高められるように、位置合わせ機能を合わせ持つことができる。
【００３８】
逆に、リザーバタンクの位置が大きくずれている場合には、組付治具の先端つめ部が凹部内に進入できず、組付治具を下降させたとしても先端つめ部によって凹部を係止して押圧することができない。そのため、位置ずれを生じたままシリンダ本体側に押圧されることがなくなる。したがって、リザーバタンクのセット位置が比較的大きくずれていた場合には、リザーバタンクが割れたり、白化したりなどの損傷を受けることを防いで、リザーバタンクの再利用が可能になる。また、リザーバタンクの位置ずれによって、マスタシリンダのボス部とリザーバタンクの円筒部との間のグロメットシールが損傷したり、シール性が低下したりすることを防ぐこともできる。
【００３９】
このような凹部又は孔部からなる係止部を備えるリザーバタンクの構成例を図９〜図１５に示す。
図９〜図１４は、リザーバ本体の底部における、円筒部の配列方向に対して垂直方向に交差する方向の両横方向に係止部を設けたリザーバタンクであり、図１５は、円筒部の配列方向に沿った方向の両横方向に係止部を設けたリザーバタンクである。いずれの方向に沿っても第１及び第２の係止部を備えることができるが、組付治具の配置や移動の邪魔にならないようにでき、組付作業を効率化できることから、図９〜図１４に示すように、円筒部の配列方向に対して垂直方向に交差する方向の両横方向に係止部を設けることが好ましい。
【００４０】
このうち、図９は、リザーバ本体２１の底部の横方向両側に、それぞれ二つの凹部２３´、２３´´からなる第１の係止部２３及び第２の係止部２４が形成されたリザーバタンク１０Ａである。これらの凹部２３、２４は、組付治具の先端つめ部の形状と実質的に一致し、先端つめ部と凹部とが嵌まり合うようになっている。
また、図１０は、リザーバ本体２１の底部の横方向両側に、それぞれ二つの孔部５３´、５３´´からなる係止部５３が形成されたリザーバタンク１０Ｂである。
これらの図９及び図１０では、第２の係止部の配置位置の図示を一部省略してあるが、第２の係止部は、第１の係止部２３、５３が設けられた側とは反対側において、第１の係止部２３、５３の位置と同じ位置に配置されている。
【００４１】
また、第１及び第２の係止部がそれぞれ備える凹部又は孔部の数については自由に選択できるものの、数を増加させるにつれ、一つ一つの係止部の大きさが小さくなり、組付治具によって発生する押圧力に対する耐久性が低下するおそれがある。一方、リザーバタンクを押圧する際に、リザーバタンクの傾きを防止して第１及び第２の円筒部をそれぞれ均等な圧力で押圧するためには、第１及び第２の係止部それぞれにおいて、それぞれの円筒部を中心に、等距離に配置された係止部を備えていることが好ましい。
これらの点を考慮すると、上述した図９や図１０に示すように、一つの円筒部に対する関係としては、それぞれ等距離に置かれた凹部又は孔部と含み、それぞれの円筒部に対して一つ又は二つの凹部又は孔部を備えた構成とすることが好ましい。
【００４２】
また、図９や図１０に示すような、底部の横方向に設けられた凹部又は孔部からなる係止部であれば、当該係止部以外の箇所がリブ状になって、リザーバタンクにおける組付治具からの押圧力が作用する部分を補強する機能を併せ持っている。したがって、リザーバタンクの収容量を減らすことなく、リザーバ本体の強度を高めることができ、リザーバタンクの損傷を低減させることができる。
【００４３】
また、図１１（ａ）は、第１の係止部６３及び第２の係止部６４が互いに数が異なる一つ又は複数の凹部又は孔部６３´・・・、６４´・・・を含むように構成したリザーバタンクである。第１の係止部を構成する凹部又は孔部の数と第２の係止部を構成する凹部又は孔部の数とを異ならせることにより、リザーバタンクをセットする際に、方向を誤ってセットした場合には、図１１（ｂ）に示すように、組付治具３３、３４の先端つめ部３３ａ、３４ａの少なくとも一方が係止部６３、６４に入り込むことができなくなる。したがって、方向を誤ったままマスタシリンダに対して組み付けられてしまうことを防ぐことができる。
【００４４】
また、図１２に示すように、凹部又は孔部からなる係止部を、組付治具の進入方向に向けて断面積が小さくなるテーパ状の係止部５３´とすることが好ましい。かかるテーパ状の凹部又は孔部からなる係止部であれば、リザーバタンクの位置が少し程度横方向にずれているような場合に、組付治具の進入に伴って位置補正されやすくなり、リザーバタンクの位置合わせとしての機能を効果的に発揮できる。
かかるテーパ状の凹部又は孔部は、複数の凹部又は孔部のすべてをテーパ状とすることもでき、あるいは、複数の凹部又は孔部の少なくとも一部をテーパ状としてもよい。
【００４５】
また、係止部を孔部とした場合には、リザーバタンクの誤組付を防ぐことができるとともに、グロメットシールの装着漏れや、位置ずれの有無を確認するための確認穴として機能させることもできる。
特に、図１３に示すように、リザーバ本体２１の底部から下方に突設した突出部１３に孔部からなる係止部９３、９４を形成することにより、リザーバタンクの位置合わせ機能と併せて、グロメットシールの装着漏れや、位置ずれの有無を確認するための確認穴として機能させることもできる。
【００４６】
なお、上述した構成例は、すべて係止部としての凹部又は孔部の全体の大きさを、組付治具の先端つめ部の大きさと実質的に一致させた構成となっているが、これ以外の構成とすることによっても、本発明の効果を得ることができる。
例えば、図１４（ａ）に示すように、係止部としての凹部８８の大きさを、組付治具３３の先端つめ部３３ａよりも大きくし、先端つめ部３３ａの先に位置合わせ用突起３９を形成するとともに、係止部としての凹部８８内に位置合わせ用の第２凹部又は孔部８９を形成した場合であっても、リザーバタンクの位置合わせ効果を得ることができる。
また、図１４（ｂ）に示すように、係止部としての凹部９８の大きさを、組付治具３３の先端つめ部３３ａよりも大きくし、先端つめ部３３ａの先に位置合わせ用凹部３６を形成するとともに、係止部としての凹部９８内に位置合わせ用の突部９９を形成した場合であっても、リザーバタンクの位置合わせ効果を得ることができる
【００４７】
また、図１５は、第１及び第２の円筒部１１ａ、１１ｂの配列方向に沿った方向の対向する両横方側に、組付治具３３、３４が係止される係止部７３、７４を備えたリザーバタンク１０Ｄである。製造ラインの構成上邪魔になったりしないのであれば、かかる方向側に係止部を設けても構わない。このように構成した場合であっても、リザーバタンクのセット位置の位置合わせ機能を発揮でき、精度よく組付作業を行うことができる。
【００４８】
以上説明したように、本発明のリザーバタンクによれば、マスタシリンダに組付ける際に組付治具が係止される係止部を、リザーバ本体の底部近傍の所定位置に形成するとともに、凹部又は孔部からなる係止部として構成することにより、リザーバタンクやグロメットシールの損傷を防止でき、リザーバタンクを正確に位置合わせしてマスタシリンダに組付けることができるようになる。
【図面の簡単な説明】
【００４９】
【図１】リザーバタンクがマスタシリンダに組み付けられた状態を示す図である。
【図２】リザーバタンクとマスタシリンダとの嵌合部分の断面図である。
【図３】リザーバタンクとマスタシリンダとの組付方法を説明するための図である（その１）。
【図４】リザーバタンクとマスタシリンダとの組付方法を説明するための図である（その２）。
【図５】組付治具によってリザーバタンクを保持した状態を説明するための図である。
【図６】リザーバタンクとマスタシリンダとの組付方法を説明するための図である（その３）。
【図７】リザーバタンクとマスタシリンダとの組付方法を説明するための図である（その４）。
【図８】リザーバタンクとマスタシリンダとの組付方法を説明するための図である（その５）。
【図９】係止部の構成例を説明するための図である。
【図１０】係止部の別の構成例を説明するための図である。
【図１１】係止部の配置位置の例を説明するための図である。
【図１２】凹部又は孔部の形状を説明するための図である。
【図１３】所定の孔部からなる係止部を説明するための図である。
【図１４】係止部のさらに別の構成例を説明するための図である。
【図１５】係止部のさらに別の構成例を示す図である。
【図１６】従来のリザーバタンクの構成を説明するための図である。
【符号の説明】
【００５０】
１：マスタシリンダ、２：シリンダ本体、３：ピストン、４：液圧室、５：ボス部、６：連絡孔、７：グロメットシール、８：突出部、９：固定ピン、１０：リザーバタンク、１１：円筒部、１３：突出部、１５：固定ピン挿入穴、１７：給液口、１８：大径部、１９：小径部、２１：リザーバ本体、２３：係止部（第１の係止部）、２４：係止部（第２の係止部）、２７：リブ、３３・３４：組付治具、３３ａ・３４ａ：先端つめ部、４１：載置台、５３・５４・６３・６４・７３・７４・９３・９４：係止部
【図１】
2008007060.tif 000003
【図２】
2008007060.tif 000004
【図３】
2008007060.tif 000005
【図４】
2008007060.tif 000006
【図５】
2008007060.tif 000007
【図６】
2008007060.tif 000008
【図７】
2008007060.tif 000009
【図８】
2008007060.tif 000010
【図９】
2008007060.tif 000011
【図１０】
2008007060.tif 000012
【図１１】
2008007060.tif 000013
【図１２】
2008007060.tif 000014
【図１３】
2008007060.tif 000015
【図１４】
2008007060.tif 000016
【図１５】
2008007060.tif 000017
【図１６】
2008007060.tif 000018